(57)【要約】  【課題】組立作業性及び堅牢性に優れたベッドと机との組み合わせ家具を提供する。  【手段】家具は、上段に位置したベッド部１と、その下方に配置した机天板２と、これらを支持する支持３とを備えている。支持枠３は、前後支柱４に装架した下部サイド横桟１１を備えており、机天板２の左右側端部を下部サイド横桟１１に載せて、両者を一体に固定している。固定作業に際して一々人は机天板２を持ち上げて高さを保持している必要はないため、組立が容易であり、かつ、机天板２が強度メンバーを兼ねるため堅牢な構造になっている。机天板２の後端面はバック横桟１３にビスで締結すると、堅牢性がより向上する。【選択図】    図１
2006055539.tif 000002
【特許請求の範囲】
【請求項１】
上段に位置した平面視四角形のベッド部と、ベッド部の下方に配置した机天板と、机天板及びベッド部を支持するため左右の支持枠とを備えており、
前記机天板の左右側端部を、左右の支持枠に形成した前後長手のサイド横桟に載置し、机天板とサイド横桟とをねじ等のファスナーで固定している、
ベッドと机との組み合わせ家具。
【請求項２】
前記机天板の左右側端部の下面に、支持枠におけるサイド横桟の内側面に密着する補助部材を固定し、補助部材とサイド横桟をねじで締結している一方、
前記左右支持枠の後部間に、机天板の背面が重なるバック横桟を連結しており、バック横桟と机天板とをねじで締結している、
請求項１に記載したベッドと机との組み合わせ家具。
【請求項３】
前記左右支持枠の後部間に、机天板の背面が重なるバック横桟を連結している一方、前記机天板の後端縁を、当該後端縁がその長手方向に沿った飛び飛びの部分においてバック横桟に密着するように切欠きを形成し、この切欠きの箇所において机天板に側面視コ字状の灯具用金具が後方から嵌め込み可能ならしめ、机天板とバック横桟とはその密着した箇所においてねじ止めしている、
請求項１又は請求項２に記載したベッドと机との組み合わせ家具。
【請求項４】
前記机天板の補助部材は少なくとも前後２本のビスによってサイド横桟に固定されており、かつ、サイド横桟には前記ビスがねじ込まれる鬼目ナットが内外に開口するように埋設されている一方、
前記支持枠における左右サイド横桟のうち少なくとも何れが一方の外側面に、物品を吊懸けるフックを吊支する前後長手のハンガーが配置されており、このハンガーの前後両端を、前後の鬼目ナットにねじ込まれるビスによってサイド横桟に固定している、
請求項２又は請求項３に記載したベッドと机との組み合わせ家具。
【発明の詳細な説明】
【技術分野】
【０００１】
本願発明は、ベッドと机との組み合わせ家具に関するもので、特に、児童・生徒用に好適な組み合わせ家具に関するものである。
【背景技術】
【０００２】
部屋のスペースを有効利用できる児童・生徒用の家具として、上段をベッド部となし下段を机天板が配置された机部と成している組み合わせ家具が使用されてている。この組み合わせ家具は、ベッド部を支持するための支持枠を必須の構成要素としており、この支持枠は、一般に、ベッド部の四隅部を支持する４本の支柱と、前後の支柱を連結した側板（或いはサイド横桟）と、後部の支柱を連結する背板（或いは後部横桟）とを備えている（例えば特許文献１参照）。
【０００３】
机部は支持枠とは分離した構造にしてベッド部の下方の空間に単に配置したものと、机天板を支持枠にねじ止め等によって固定したものとがあり、後者のように机天板を支持枠に固定すると、机天板が支持枠の強度メンバーとしても機能するため、家具全体として堅牢な構造にすることができる利点がある。
【０００４】
また、支持枠は上下に分離不能な構造のものと、机天板の上方の部分において上下に分離できるものとがあり、後者の態様では、ベッド部と机部とを分離して使用できるようになっている。
【特許文献１】特開２００４−２４４２５号公報
【発明の開示】
【発明が解決しようとする課題】
【０００５】
前記したように、机天板を支持枠に固定すると家具全体として堅牢な構造にすることができるが、机天板を支持枠に固定する方法として従来は、机天板の側面を側板の内面に当接し、その状態で、側板に外側から貫通させたねじを机天板に嵌め込むようにしている。
【０００６】
しかし、これでは人が机天板を所定の高さに保持した状態でねじのねじ込み作業を行わねばならないため、家具の組み立て作業に多大の手間が掛かるという問題があった。この種の組み合わせ家具において、ベッド部の左右長さ（間口寸法）は相当の長さになるため、必然的に机天板の左右長さも大きくなり、このため机天板の重量もかなり重いものになる。このため、組み立て作業は非常に厄介なものとなる。
【０００７】
ところで、机天板の後端縁を支持枠の背板（バック横桟）に固定すると家具の堅牢性をより向上でき、また、背板（バック横桟）を机天板の上方に露出させることによって机上の物品の脱落を防止てきる利点がある。
【０００８】
他方、机天板の後端縁に灯具の支柱をクランプ式の金具で固定することがあり、このように灯具用金具の取付けを可能にするために従来は机天板の後端をフリーの状態にしており、このため、灯具用金具を取付けることと、机天板を背板（バック横桟）に固定して家具の強度をアップすることとを両立できないという問題があった。
【０００９】
本願発明は、上記のような現状を改善すべくなされたものである。
【課題を解決するための手段】
【００１０】
請求項１の発明では、上段に位置した平面視四角形のベッド部と、ベッド部の下方に配置した机天板と、机天板及びベッド部を支持するため左右の支持枠とを備えた組み合わせ家具において、前記机天板の左右側端部を、左右の支持枠に形成した前後長手のサイド横桟に載置し、机天板とサイド横桟とをねじ等のファスナーで固定している。
【００１１】
請求項２の発明では、請求項１において、前記机天板の左右側端部の下面に、支持枠におけるサイド横桟の内側面に密着する補助部材を固定し、補助部材とサイド横桟をねじで締結している一方、前記左右支持枠の後部間に、机天板の背面が重なるバック横桟を連結しており、バック横桟と机天板とをねじで締結している。
【００１２】
請求項３の発明は、請求項１又は２において、前記左右支持枠の後部間に、机天板の背面が重なるバック横桟を連結している一方、前記机天板の後端縁を、当該後端縁がその長手方向に沿った飛び飛びの部分においてバック横桟に密着するように切欠きを形成し、この切欠きの箇所において机天板に側面視コ字状の灯具用金具が後方から嵌め込み可能ならしめ、机天板とバック横桟とはその密着した箇所においてねじ止めしている。
【００１３】
請求項４の発明は、請求項２又は３において、前記机天板の補助部材は少なくとも前後２本のビスによってサイド横桟に固定されており、かつ、サイド横桟には前記ビスがねじ込まれる鬼目ナットが内外に開口するように埋設されている一方、前記支持枠における左右サイド横桟のうち少なくとも何れが一方の外側面に、物品を吊懸けるフックを吊支する前後長手のハンガーが配置されており、このハンガーの前後両端を、前後の鬼目ナットにねじ込まれるビスによってサイド横桟に固定している。
【発明の効果】
【００１４】
本願発明によると、机天板の左右側端部が支持枠のサイド横桟に載っているため、組み立て作業に際して人が一々重い机天板を持ち上げて所定高さに保持する必要はない。ひなわち、机天板を支持枠のサイド横桟に載せてから、机天板から手を離してねじ等のファスナーによる締結作業を行えばよく、このため、家具の組み立て作業を迅速かつ安全に行うことができる。
【００１５】
請求項２のように構成すると、机天板の左右側部下面に設けた補助部材とサイド横桟にの内側面に密着していることにより、机天板とサイド横桟とがしっかりと位置決めされ、このことと、バック横桟が机天板と一体化することとにより、家具の堅牢性を格段に向上させることができる。
【００１６】
請求項３のように構成すると、机天板とバック横桟とを締結しつつ、机天板にコ字状の灯具支持用金具を後方から嵌め込むことができ、このため、家具の堅牢性を低下させることなく、コ字状の金具を備えたポピュラーなタイプの灯具を使用することが可能になる。
【００１７】
ところで、ランドセル等の物品を吊懸けるためのハンガーを家具に設けることがあり、この場合、通常はハンガーを木ねじで例えば支持枠の外側面に固定することなるが、これでは、木ねじのねじ込み作業が面倒であり、また、取り外した後に毛羽立った穴が露出して体裁が悪くなる。これに対して請求項４のように構成すると、机天板を締結するための鬼目ナットを利用してハンガーを取付けるものであるため、構造が簡単になると共にとビスのねじ込み作業も軽い力で行うことができ、更に、ビスを取り外した後の外観も体裁が良い利点がある。
【発明を実施するための最良の形態】
【００１８】
次に、本願発明の実施形態を図面に基づいて説明する。
【００１９】
(1).第１実施形態（図１〜図６）
図１〜図６では第１実施形態を示している。図１は全体の斜視図であり、図２は正面図、図３は分離正面図、図４（Ａ）は図３のIV−IV視平面図、図５のうち（Ａ）は図４（Ａ）の VA-VA視断面図、図（Ｂ）は図２及び図４（Ａ）の VB-VB視断面図、図６は組み立て手順を示す正面図である。なお、本願実施形態の各部材は木製を基調としている。
【００２０】
例えば図１から理解できるように、本実施形態は、１つのベッド部１と１枚の机天板２とをとを揺するシングルタイプであり、ベッド部１と机天板２とを支持する左右一対の支持枠３を備えている。ベッド部１は、支柱４に固定された囲い板６と簀の子状の底板（図２参照）とを備えている。言うまでもないが、底板にマットレス７や布団が敷かれる。ベッド部１には図１に一点鎖線で示した梯子８で乗り降りする。
【００２１】
支持枠３は、ベッド部の四隅箇所に位置する角形で前後４本の支柱４と、前後支柱４の間に配置した上下のサイド横１０，１１と、後部の左右支柱４に連結した上下のバック横桟１２，１３とを備えている。上部サイド横桟１０及び上部バック横桟１２は机天板２よりも上方にあってかつ細巾になっている。
【００２２】
下部サイド横桟１１は上下に大きい幅寸法であり、この下部サイド横桟１１に机天板２の左右側部が載っている。下部バック横桟１３は、その上端が机天板２よりも僅かに上向き突出している。これは、机上の物品の転げ落ちを防止するためである。
【００２３】
サイド横桟１０，１１及びバック横桟１２，１３の上下幅寸法は任意に設定できるが、本願実施形態のように構成すると、下部サイド横桟１１及び下部バック横桟１３の上下幅寸法が大きいため堅牢性に優れ、また、上部サイド横桟１０及び上部バック横桟１２の上下幅寸法が小さいため、ベッド部１と机天板２との間には大きな空間が存在して開放感に優れている。
【００２４】
例えば図４（Ａ）に示すように、机天板２の下面には、左右方向に延びる３本（他の本数でもよい）の補強フレーム１４がビス止めによって固着されており、また、机天板２の左右側部の下面には、支持枠２の下部サイド横桟１１の内側面に重なる前後長手の補助部材１５がビス止めによって固定されており、この補助部材１５を下部サイド横桟１１にビス１６で固定している。机天板２を下部サイド横桟１１に直接にビス止めすることも可能であるが、本実施形態のように構成すると、ビスの頭が露出しないため体裁が良い利点がある。
【００２５】
机天板２の後端部には、左右中間部を挟んだ左右両側に２つの切欠き１７を形成しており、このため、机天板２は下部バック横桟１３に対して飛び飛びの状態で当接している（当接部を符号２ａで示す）。そして、当接部２ａの箇所で下部バック横桟１３と机天板２とをビス１８で固定している。机天板２にはビス１８かねじ込まれるの鬼目ナットを埋設している。
【００２６】
机天板２の切欠き１７の箇所には、灯具１９を取付けることができる。灯具１９は支柱２０を備えており、支柱２０の下端には側面視コ字状のクランプ式金具２１が固定されている。敢えていうまでもないが、金具２１は、ねじ２２を机天板２に下方から突っ張らせることによって机天板２に固定され。各切欠き１７は左右に長い長さであり、また、左右に飛び飛びで形成されているため、灯具１９の取付け位置の選択の幅が大きい利点がある。
【００２７】
本実施形態では、各支柱４は机天板２よりもやや上方の部位において分割されており、図３に示すようにピン２３で位置決めされている。従って、ベッド部１と机部とを別々に設置することも可能である。もちろん、分離方式でない一体方式としても良い。
【００２８】
図３に簡単に示すように、支柱４とバック横桟１２，１３とは、バック横桟１２，１３に挿通したナット部材２５に支柱４を貫通したビス２４をねじ込むことによって行っている。また、前後支柱４とサイド横桟１０，１１とはダボを使用して一体に固定している（勿論、他のの固定方法も採用できる）。
【００２９】
机天板２の下方の空間には、抽斗を多段に備えてワゴン２７を配置できる。また、図１や図２に一点鎖線で示すように、机天板２の上面及び下方には、中間棚板を有する箱状等の棚２８を配置することが可能である。本実施形態では、棚２８は机天板２の上方と下方との両方に配置できるように高さを設定している。棚２８において、中間棚板は固定式でも良いし可動式でも良い。
【００３０】
本実施形態の家具を組み立てるには、机部とベッド部１とを別々に構成し、次いで、ベッド部１を机部に取付けることになる。そして、机部を組み立てにおいては、まず、ユニット化されている前後支柱４と下部サイド横桟１１との連結体を下部バック横桟１３で連結することよって支持枠３を組立、次いで、図６に示すように、机天板２を左右のバック横桟１３に載せてから、ビス１６，１８による固定作業を行う。
【００３１】
机天板２は左右の下部サイド横桟１１に載ることによって仮保持されるため、組立作業を迅速かつ安全に行える。図２に一点鎖線で示すように、上部バック横桟１２を利用して棚板３０を設けてもよい。また、上部バック横桟１２に引っ掛け式の棚を左右移動自在に設けるとも可能である。更に、灯具１９は上部バック横桟１１のような机天板２とは異なる部材に取付けることも可能である。
【００３２】
本実施形態では、図４（Ｂ）〜（Ｄ）に示すように、ランドセル等の物品を吊懸けるフック３３を着脱自在で前後移動自在に吊支するためのハンガー３４を、机天板２を固定するためのねじ穴を利用してねじ止めしている。
【００３３】
すなわち、下部サイド横桟１１にはビス１６がねじ込まれる鬼目ナット３７が内外両側に開口するように埋設されている一方、ハンガー３４は線材製であってその両端部を折り曲げると共に先端を潰すことによって取付け部３４ａを形成しており、前後取付け部３４ａの間隔を前後鬼目ナット３７の間隔と同じ間隔に設定することにより、鬼目ナット３７にねじ込まれたビス３６でハンガー３４を下部サイド横桟１１に固定している。
【００３４】
つまり、共通した鬼目ナット３７を机天板２の固定とハンガー３４の固定とに共用している。このため構造の簡素化することができる。また、本実施形態では、ハンガー３４は支柱４の外面からはみ出ないようになっており、このため、引っ掛かり事故を防止又は抑制できる利点がある。
【００３５】
(2).他の実施形態（図７）
図７では他の実施形態を示している。このうち（Ａ）では、机天板２の手前側に下部サイド横桟１１の上面が露出する場合において、下部サイド横桟１１の露出部の上面と机天板２とを同一面に設定している。（Ｂ）に示す例では、下部サイド横桟１１の内側面に支持部材３１を固定し、この支持部材３１で机天板２を支持している。このような態様も請求項の構成に含まれる。この（Ｂ）の場合は、下部サイド横桟１１は机天板２と同じ高さに設定しても良いし、一点鎖線で示すように机天板２の上方に突出させても良い。
【００３６】
(3).その他
本願発明は、上記の実施形態の他にも様々に具体化できる。例えば、支柱の本数は４本には限らず、必要があれば本数を増やすことも可能である。また、支持枠の形態は様々に具体化することができ、例えば、支柱を備えずに板材のみで構成すること、或いは、板材を使用せずに角材のみで構成することなども可能である。机天板の下面に平抽斗を設けることも可能である。
【図面の簡単な説明】
【００３７】
【図１】第１実施形態の全体斜視図である。
【図２】正面図である。
【図３】分離正面図である。
【図４】(A)は図３のIV−IV視平面図、 (B)はハンガーの斜視図、 (C)はハンガーの取付けを示す平断面図、 (D)はハンガーの取付け場所の拡大正断面図である。
【図５】（Ａ）は図４の VA-VA視断面図、図（Ｂ）は図２及び図４の VB-VB視断面図である。
【図６】図６は組み立て手順を示す正面図である。
【図７】他の実施形態を示す図である。
【符号の説明】
【００３８】
１  ベッド部
２  机天板
３  支持枠
１０  上部サイド横桟
１１  下部サイド横桟
１２  上部バック横桟
１３  下部バック横桟
１４  補強部材
１５  補助部材
１９  灯具
２１  灯具用の金具
【図１】
2006055539.tif 000003
【図２】
2006055539.tif 000004
【図３】
2006055539.tif 000005
【図４】
2006055539.tif 000006
【図５】
2006055539.tif 000007
【図６】
2006055539.tif 000008
【図７】
2006055539.tif 000009